【事件の表示】
　上記当事者間の登録第５８４４２１８号商標の商標登録無効審判事件について，次のとおり審決する。
【結　論】
　登録第５８４４２１８号の指定役務中，第３５類「医療機械器具の小売又は卸売の業務において行われる顧客に対する便益の提供」についての登録を無効とする。
　審判費用は，被請求人の負担とする。
【理　由】
第１　本件商標
　本件登録第５８４４２１８号商標（以下「本件商標」という。）は，「Ａｔｈｌｅｔｅ　Ｂｒａｉｎｓ」及び「アスリートブレーンズ」の文字を上下二段に横書きしてなり，平成２７年１０月８日に登録出願され，第３５類「広告業，商品の販売促進・役務の提供促進のための企画及び運営，新商品の開発の企画に関する助言・指導，経営の診断又は経営に関する助言，市場調査又は分析，商品の販売に関する情報の提供，ホテルの事業の管理，広告スペースの貸与又は提供，広告用具の貸与，衣料品・飲食料品及び生活用品に係る各種商品を一括して取り扱う小売又は卸売の業務において行われる顧客に対する便益の提供，織物及び寝具類の小売又は卸売の業務において行われる顧客に対する便益の提供，被服の小売又は卸売の業務において行われる顧客に対する便益の提供，履物の小売又は卸売の業務において行われる顧客に対する便益の提供，かばん類及び袋物の小売又は卸売の業務において行われる顧客に対する便益の提供，身の回り品の小売又は卸売の業務において行われる顧客に対する便益の提供，飲食料品の小売又は卸売の業務において行われる顧客に対する便益の提供，自動車の小売又は卸売の業務において行われる顧客に対する便益の提供，二輪自動車の小売又は卸売の業務において行われる顧客に対する便益の提供，自転車の小売又は卸売の業務において行われる顧客に対する便益の提供，電子計算機用プログラム・電気機械器具類の小売又は卸売の業務において行われる顧客に対する便益の提供，台所用品・清掃用具及び洗濯用具の小売又は卸売の業務において行われる顧客に対する便益の提供，薬剤及び医療補助品の小売又は卸売の業務において行われる顧客に対する便益の提供，化粧品・歯磨き及びせっけん類の小売又は卸売の業務において行われる顧客に対する便益の提供，医療機械器具の小売又は卸売の業務において行われる顧客に対する便益の提供，印刷物・電子出版物の小売又は卸売の業務において行われる顧客に対する便益の提供，紙類及び文房具類の小売又は卸売の業務において行われる顧客に対する便益の提供，運動具の小売又は卸売の業務において行われる顧客に対する便益の提供，おもちゃ・人形及び娯楽用具の小売又は卸売の業務において行われる顧客に対する便益の提供，録画済みＤＶＤの小売又は卸売の業務において行われる顧客に対する便益の提供，時計及び眼鏡の小売又は卸売の業務において行われる顧客に対する便益の提供，ヘルスメーターの小売又は卸売の業務において行われる顧客に対する便益の提供」，第４１類「技芸・スポーツ又は知識の教授，コーチング（教育及び訓練），セミナー・研修会の企画・運営又は開催，電子出版物の提供，図書及び記録の供覧，図書の貸与，書籍・電子出版物の制作に関する指導・助言又は情報の提供，書籍の制作，放送番組の制作における演出に関する指導・助言又は情報の提供，放送番組の制作における演出，運動施設の提供，運動用具の貸与，おもちゃの貸与，遊園地用機械器具の貸与，遊戯用器具の貸与，教育・文化・娯楽・スポーツ用ビデオの制作（映画・放送番組・広告用のものを除く。），スポーツの興行の企画・運営又は開催，興行の企画・運営又は開催（映画・演芸・演劇・音楽の演奏の興行及びスポーツ・競馬・競輪・競艇・小型自動車競走の興行に関するものを除く。），娯楽施設の提供，その他の娯楽の提供，娯楽情報の提供」及び第４４類「入浴施設の提供，あん摩・マッサージ及び指圧，カイロプラクティック，きゅう，柔道整復，はり，ダイエット・健康管理に関する助言・指導・診断，リハビリテーションの指導及び助言，医業，医療情報の提供，健康診断，歯科医業，調剤，栄養の指導，介護に関する指導及び助言，介護，医療用機械器具の貸与」を指定役務として，同２８年２月１９日に登録査定，同年４月２２日に設定登録されたものである。
第２　引用商標
　請求人が請求の理由において引用する商標は，以下の４件であり（以下，これら商標を総称して「引用商標」という。），いずれも現に有効に存続しているものである。
　１　登録第４４２２１０２号商標（以下「引用商標１」という。）は，別掲１のとおりの構成からなり，平成１０年３月１２日に登録出願，第１０類「医療用機械器具」を指定商品として，同１２年１０月６日に設定登録されたものである。 
　２　登録第４４４１４０２号商標（以下「引用商標２」という。）は，「アスリート」の片仮名を横書きしてなり，平成１０年３月１２日に登録出願，第１０類「医療用機械器具」を指定商品として，同１２年１２月２２日に設定登録されたものである。 
　３　登録第５１３４５５３号商標（以下「引用商標３」という。）は，「ＡＴＨＬＥＴＥ」の欧文字を標準文字で表してなり，平成１９年９月７日に登録出願，第１０類「医療用機械器具」を指定商品として，同２０年５月１６日に設定登録されたものである。
　４　登録第５１３４５５４号商標（以下「引用商標４」という。）は，別掲２のとおりの構成からなるものであり，平成１９年９月７日に登録出願，第１０類「医療用機械器具」を指定商品として，同２０年５月１６日に設定登録されたものである。 
第３　請求人の主張
　請求人は，結論同旨の審決を求め，その理由を要旨以下のように述べ，証拠方法として甲第１号証ないし甲第６４号証（枝番号を含む。）を提出した。
　１　本件商標を無効とすべき理由の要点
　本件商標は、その指定役務中、第３５類「医療機械器具の小売又は卸売の業務において行われる顧客に対する便益の提供」が、商標法第４条第１項第１０号及び同第１１号に該当するため、商標法第４６条第１項第１号により、無効にすべきものである。
　２　本件商標の商標法第４条第１項第１０号該当性
（１）請求人の商標の周知性について
　請求人が使用をする商標のうち，「ＡＴＨＬＥＴＥ」，「アスリート」及びこれらを冠する商標は，請求人が製造販売する「ガイドワイヤー」の商標として，周知性を有しているとの判断が，すでに以下の裁判及び審判において示されている。
　・平成２１年（行ケ）第１０４１１号（甲２−１）
　・平成２２年（行ケ）第１０００５号（甲２−２）
　・無効２００９−８９００５１（甲３−１）
　・無効２００９−８９００５２（甲３−２）
　・無効２０１３−８９００７２（甲４−１）
　・無効２０１３−８９００７３（甲４−２）
　・無効２０１３−８９００７４（甲４−３）
　・無効２０１４−８９００９０（甲４−４）
　そして，以上の裁判及び審判においては，主として，下記ア〜力の事実を認定することによって，請求人の商標が周知性を有しているとの判断を下している。
　ア　請求人は，昭和５６年に医療用機器の輸入，製造並びに国内販売を主な事業内容として設立された会社であり，循環器系分野の医療用機器を提供しており，心臓ペースメーカやＥＰカテーテル等のほか，ガイドワイヤーを取り扱っている（甲５）。
　イ　ガイドワイヤーとは，ＰＣＩ（経皮的冠動脈形成術）と呼ばれる心臓カテーテル治療に用いられる医療機器である。ガイドワイヤーは，製造販売について薬事法上所定の申請及び承認が必要な医療機器であり，ＰＣＩを行う病院に直接販売する方法と，販売代理店経由で販売する方法がある。
　請求人は，全国に２６か所の営業拠点を有し，販売代理店経由を含め，ＰＣＩを行う病院に対し，製品の紹介・販売・サポートを行っている。そして，全国に亘る大学の付属病院等を主要な納入先としている（甲２，甲３，甲５，甲６）。
　ウ　請求人は，「ＡＴＨＬＥＴＥ」及び「アスリート」のほか，「ＡＴＨＬＥＴＥＰＬＵＳ」，「アスリートマジック／ＡＴＨＬＥＴＥＭＡＧＩＣ」，「アスリートジーティ／ＡＴＨＬＥＴＥＧＴ」，「ＡＴＨＬＥＴＥＥＥＬ／アスリートイール」など，計２１件の商標について，指定商品を第１０類「医療用機械器具」として登録を受けている（甲３４−１〜２１）。
　エ　請求人は，平成７年頃から，ガイドワイヤーに「ＡＴＨＬＥＴＥ」，「ＡＴＨＬＥＴＥ　ＰＬＵＳ」，「ＡＴＨＬＥＴＥ　ｅｅｌ」，「ＡＴＨＬＥＴＥ　ＧＴ」，「ＡＴＨＬＥＴＥ　Ｗｉｚａｒｄ」，「アスリートプラス」，「アスリート　スレンダー」，「アスリート　ＧＴ」，「アスリート　ＷＩＺＡＲＤ」など，「ＡＴＨＬＥＴＥ」，「アスリート」を冠した商標を付し，これを「ＡＴＨＬＥＴＥ」，「アスリート」シリーズとして製造販売しており，平成７年以降継続して，これら商品についてのカタログ等を発行している（甲７−１〜１１，甲１１，甲３５〜甲５４）。
　オ　株式会社矢野経済研究所の調査資料や，株式会社アールアンドディ作成の「医療機器・用品年鑑」の年度毎の市場分析によれば，請求人は，ガイドワイヤーの販売本数で，平成８年から平成１２年まで約１５％ないし２５％のシェアを占めていたこと，独占販売契約の打ち切りによる自社製品への切り替えのため，平成１３年には販売が減少したが，平成１４年以降平成１９年まで約５％ないし８％のシェアを占め，その後平成２４年に至る間も約５％ないし７％のシェアを占めてきたこと，請求人は，平成８年以降，平成１３年を除き，ガイドワイヤーの販売本数で，毎年上位５位以内にランキングされていること，が認められる（甲１２〜甲２４，甲５５〜甲６１）。
　カ　「ＡＴＨＬＥＴＥ」，「アスリート」が冠された商標を付した請求人のガイドワイヤーは，平成１３年日本心血管カテーテル治療学会等の学会誌に掲載されたのをはじめ，学会予稿集や医学雑誌に多数回掲載されている（甲２５〜甲３２，甲６２〜甲６４）。
　そして，以上の裁判及び審判においては，主として，上記ア〜力の事実を認定することによって，遅くとも平成１９年２月には，請求人の商標が周知性を獲得し，その後も，周知性が維持されているとの判断が下されている。
　なお，以上の裁判及び審判の審理終結日のうち，直近のものは，平成２７年１２月３日であり，未だ１年も経過していない。また，請求人は，今も，「ＡＴＨＬＥＴＥ」，「アスリート」シリーズの製造販売を継続している。
　したがって，以上の裁判及び審判によって裏付けられた「ガイドワイヤー」の商標としての周知性は，今も継続しているとすることが極めて妥当な判断であると認められる。
　さらに，商標法第４条第１項第１０号にいう「他人の業務に係る商品を表示するものとして需要者の間に広く認識されている商標」については，我が国において，全国民的に認識されていることを必要とするものではなく，その商品の性質上，需要者が一定分野の関係者に限定されている場合には，その需要者の間に広く認識されていれば足りるものである。
　そして，ガイドワイヤーは，前述の裁判や審判でも認定されているとおり，一般に市販されている商品ではなく，特定の医療関係者に販売元から直接又は問屋を通して売買されるものであって，その需要者は，医療関係者や医療用機械器具を取り扱う取引者に限定されると認められる。
　以上に述べた事実から，「ＡＴＨＬＥＴＥ」，「アスリート」及びこれらを冠する商標は，請求人がガイドワイヤーについて使用する商標として，本件商標の出願前から，すでに日本国内の取引者・需要者において広く認識されるに至っており，また，その状態は，本件商標の登録査定時においても継続していたものと認められる。
（２）本件商標と請求人の使用商標との類否
　ア　商標の類否判断
　商標の類否は，対比される両商標が同一又は類似の商品に使用された場合に，商品の出所につき誤認混同を生ずるおそれがあるか否かによって決すべきであるが，それには，そのような商品に使用された商標がその外観，観念，称呼等によって取引者に与える印象，記憶，連想等を総合して全体的に考察すべく，しかも，その商品の取引の実情を明らかにし得る限り，その具体的な取引状況に基づいて判断するのが相当である（最高裁昭和３９年（行ツ）第１１０号同４３年２月２７日第三小法廷判決・民集２２巻２号３９９頁参照）。
　しかるところ，複数の構成部分を組み合わせた結合商標については，商標の各構成部分がそれを分離して観察することが取引上不自然であると思われるほど不可分的に結合しているものと認められる場合において，その構成部分の一部を抽出し，この部分だけを他人の商標と比較して商標そのものの類否を判断することは，原則として許されない。他方，商標の構成部分の一部が取引者，需要者に対し商品又は役務の出所識別標識として強く支配的な印象を与えるものと認められる場合や，それ以外の部分から出所識別標識としての称呼，観念が生じないと認められる場合などには，商標の構成部分の一部だけを他人の商標と比較して商標そのものの類否を判断することも，許されるものである（最高裁昭和３７年（オ）第９５３号同３８年１２月５日第一小法廷判決・民集１７巻１２号１６２１頁，最高裁平成３年（行ツ）第１０３号同５年９月１０日第二小法廷判決・民集４７巻７号５００９頁，最高裁平成１９年（行ヒ）第２２３号同２０年９月８日第二小法廷判決・裁判集民事２２８号５６１頁参照）。
　イ　本件商標は，「Ａｔｈｌｅｔｅ　Ｂｒａｉｎｓ」の欧文字と，「アスリートブレーンズ」の片仮名とを二段で書した商標である。本件商標を構成する「Ａｔｈｌｅｔｅ」及び「アスリート」の文字は「運動選手，競技者」等，「Ｂｒａｉｎｓ」及び「ブレーンズ」の文字は「脳，脳髄」等を意味する普通名詞を複数形で示したものである。
　そして，「Ｂｒａｉｎｓ」及び「ブレーンズ」の部分は，本件商標の指定役務「医療機械器具の小売又は卸売の業務において行われる顧客に対する便益の提供」との関係において，識別力を有しない文字と認められる。
　さらに，上記（１）の認定のとおり，本件商標の一部を構成する「Ａｔｈｌｅｔｅ」及び「アスリート」の部分が，需要者である医療関係者や医療用機械器具を取り扱う取引者に対し，請求人の商品を示すものとして周知性を獲得し，出所識別標識として強く支配的な印象を与えるものと認められる。
　そうすると，本件商標からは，「Ａｔｈｌｅｔｅ　Ｂｒａｉｎｓ＼アスリートブレーンズ」全体としてのみならず，「Ａｔｈｌｅｔｅ＼アスリート」の部分からも称呼，観念が生じるということができる。そして，後者の「Ａｔｈｌｅｔｅ＼アスリート」は，請求人の使用商標のうち「ＡＴＨＬＥＴＥ」及び「アスリート」と同一の文字からなるものであり，両者とも「アスリート」という同一の称呼が生じ，「運動選手，競技者」という同一の観念が生じるから，その外観を考慮しても，両者は類似する。したがって，本件商標「Ａｔｈｌｅｔｅ　Ｂｒａｉｎｓ＼アスリートブレーンズ」が「医療機械器具の小売又は卸売の業務において行われる顧客に対する便益の提供」に使用されるときは，本件商標中の「Ａｔｈｌｅｔｅ＼アスリート」は，需要者である医療関係者や医療用機械器具を取り扱う取引者において，周知の請求人の使用商標との出所を誤認混同するおそれがあるといわざるを得ない。
　しかるところ，１個の商標から２個以上の呼称，観念を生じる場合には，その１つの称呼，観念が登録商標と類似するときは，それぞれの商標は類似すると解すべきである（前掲最高裁昭和３８年１２月５日第一小法廷判決参照）。
　よって，本件商標から生じる称呼，観念の１つである「アスリート」と請求人の使用商標とが類似する以上，本件商標は，請求人の使用商標と類似するものである。
（３）商品・役務の類否について
　請求人が「ＡＴＨＬＥＴＥ」，「アスリート」及びこれらを冠する商標を付して周知性を獲得したのは，ガイドワイヤーであるところ，本件商標の指定役務のうち，無効審判請求に係るのは，そのガイドワイヤーの小売等役務に該当する「第３５類　医療機械器具の小売又は卸売の業務において行われる顧客に対する便益の提供」である。ここで，商品とその商品の小売等役務とが類似することは明らかであるから，ガイドワイヤーと「第３５類　医療機械器具の小売又は卸売の業務において行われる顧客に対する便益の提供」とは類似の関係にある。
（４）小括
　以上のとおり，本件商標は，請求人がガイドワイヤーに使用して周知性を獲得した「ＡＴＨＬＥＴＥ」，「アスリート」及びこれらを冠する商標と類似し，商品・役務においても類似するから，本件商標は，商標法第４条第１項第１０号に該当する。
　３　商標法第４条第１項第１１号について
（１）本件商標と引用商標との類否
　本件商標のうち「Ａｔｈｌｅｔｅ＼アスリート」の部分だけを，引用商標と比較して商標そのものの類否を判断することも，許されるものというべきであるから，本件商標からは，「Ａｔｈｌｅｔｅ　Ｂｒａｉｎｓ＼アスリートブレーンズ」全体としてのみならず，「Ａｔｈｌｅｔｅ＼アスリート」の部分からも称呼，観念が生じるということができる。
　他方，引用商標からは「アスリート」の称呼が生じ，「運動選手，競技者」等の観念が生じる。
　そうすると，本件商標のうち「Ａｔｈｌｅｔｅ＼アスリート」の部分は，引用商標と同一の「アスリート」という称呼が生じ，「運動選手，競技者」という同一の観念が生じるから，両者は類似する。
　そして，「Ａｔｈｌｅｔｅ　Ｂｒａｉｎｓ＼アスリートブレーンズ」が医療機械器具の小売又は卸売の業務において行われる顧客に対する便益の提供に使用されるときは，本件商標中の「Ａｔｈｌｅｔｅ＼アスリート」は，需要者である医療関係者や医療用機械器具を取り扱う取引者において，引用商標との出所を誤認混同するおそれがあるといわざるを得ない。
　よって，本件商標から生じる称呼，観念の１つである「アスリート」と引用商標とが類似する以上，本件商標は，引用商標と類似するものである。
（２）商品・役務の類否
　引用商標の指定商品は，第１０類「医療用機械器具」であるところ，本件商標の指定役務のうち，無効審判請求に係るのは，その指定商品の小売等役務に該当する第３５類「医療機械器具の小売又は卸売の業務において行われる顧客に対する便益の提供」である。ここで，商品とその商品の小売等役務とが類似することは明らかであるから，第１０類「医療用機械器具」と第３５類「医療機械器具の小売又は卸売の業務において行われる顧客に対する便益の提供」とは類似の関係にある。
（３）小括
　以上のとおり，本件商標は，引用商標と類似し，指定商品・役務においても類似するから，本件商標は，商標法第４条第１項第１１号に該当する。
　４　まとめ
　以上に述べたとおり，本件商標は，商標法第４条第１項第１０号及び同第１１号に該当するため，同法第４６条第１項第１号により，無効にすべきものである。
第４　被請求人の主張
　被請求人は，請求人の主張に対し，何ら答弁していない。
第５　当審の判断
　１　本件商標の商標法第４条第１項第１０号該当性について
（１）請求人商標の周知性
　ア　請求人の提出に係る証拠によれば，以下の事実が認められる。
（ア）請求人は，医療用機器の輸入，製造並びに国内販売を主な事業内容として１９８１年２月６日に設立された会社であり，循環器系分野の医療用機器を提供しており，心臓ペースメーカやＥＰカテーテル等のほか，ガイドワイヤーを取り扱っている（甲５及び甲６）。
（イ）ガイドワイヤーとは，ＰＣＩ（経皮的冠動脈形成術）と呼ばれる心臓カテーテル治療に用いられる医療機器である。ＰＣＩとは，腕や脚の血管からガイドワイヤーを心臓まで引き通して，そのガイドワイヤーをガイドとしてバルーンカテーテルを心臓の冠動脈まで押し込み，バルーンを膨らますことで冠動脈の塞栓等を解消する手術方法である。ガイドワイヤーは，薬事法上，製造販売には独立行政法人医薬品医療機器総合機構への申請及び厚生労働大臣の承認が必要な医療機器であり，ＰＣＩを行う病院に直接販売する方法と，販売代理店経由で販売する方法とがある。請求人は，全国に２６か所の営業拠点を有し，販売代理店経由を含め，ＰＣＩを行う病院に対し，製品の紹介・販売・サポートを行っており，全国に亘る大学の付属病院等を主要な納入先としている（甲２−１・２，甲３−１・２並びに甲５及び甲６）。
（ウ）請求人は，引用商標のほか，「ＡＴＨＬＥＴＥＰＬＵＳ」，「アスリートマジック／ＡＴＨＬＥＴＥＭＡＧＩＣ」，「アスリートジーティ／ＡＴＨＬＥＴＥＧＴ」，「ＡＴＨＬＥＴＥＥＥＬ／アスリートイール」等の「ＡＴＨＬＥＴＥ」又は「アスリート」の文字を冠した構成からなる商標（計２１件）について，指定商品を第１０類「医療用機械器具」として登録を受けている（甲３４の１〜２１）。
（エ）請求人は，平成７年頃から，ガイドワイヤーに引用商標を始め，「ＡＴＨＬＥＴＥＰＬＵＳ」，「ＡＴＨＬＥＴＥ　ｅｅｌ」，「ＡＴＨＬＥＴＥ　ＧＴ」，「ＡＴＨＬＥＴＥ　Ｗｉｚａｒｄ」，「アスリートプラス」，「アスリート　スレンダー」，「アスリート　ＧＴ」，「アスリート　ＷＩＺＡＲＤ」等，「ＡＴＨＬＥＴＥ」又は「アスリート」を冠した商標を付し，これを「ＡＴＨＬＥＴＥ」，「アスリート」シリーズとして製造販売しており，平成７年以降継続して，これら商品についてのカタログ，保険償還価格表等を発行している（甲２の１・２，甲３の１・２並びに甲７の１〜１１，甲１１の１〜１０及び甲３５〜甲５４）。
（オ）株式会社矢野経済研究所の調査資料や，株式会社アールアンドディ作成の「医療機器・用品年鑑」の年度毎の市場分析によれば，請求人は，ガイドワイヤーの販売本数で，平成８年から平成１２年まで約１５％ないし２５％のシェアを占めていた。その後，独占販売契約の打ち切りによる自社製品への切り替えのため，平成１３年は販売本数が減少したが，平成１４年以降平成１９年まで約５％ないし８％のシェアを占め，その後も平成２４年に至るまで約５％ないし７％のシェアを占めてきた。請求人は，平成８年以降，平成１３年を除き，ガイドワイヤーの販売本数で，毎年上位５位以内にランキングされている。上記調査資料においても，請求人が「ＡＴＨＬＥＴＥ」，「アスリート」シリーズのガイドワイヤーを展開していることが記載されている（甲１２〜甲２４及び甲５５〜甲６１）。
（カ）「ＡＴＨＬＥＴＥ」又は「アスリート」が冠された商標を付した請求人のガイドワイヤーは，平成１３年日本心血管カテーテル治療学会等の学会誌に掲載されたのをはじめ，学会予稿集や医学雑誌に多数回掲載されている（甲２５〜甲３２及び甲６２〜甲６４）。
　イ　ところで，商標法第４条第１項第１０号にいう「他人の業務に係る商品を表示するものとして需要者の間に広く認識されている商標」については，我が国において，全国民的に認識されていることを必要とするものではなく，その商品の性質上，需要者が一定分野の関係者に限定されている場合には，その需要者の間に広く認識されていれば足りるものである（甲２の１・２）。
　そして，ガイドワイヤーは，上記ア（イ）のとおり，一般に市販されている商品ではなく，特定の医療関係者に販売元から直接又は問屋を通して売買されるものであって，その需要者は，医療関係者や医療用機械器具を取り扱う取引者に限定されると認められる。
　ウ　以上を総合すると，「ＡＴＨＬＥＴＥ」及びこれを冠する商標（以下，これを「請求人の使用商標」という。）は，本件商標の登録出願時には既に，請求人の業務に係る商品「ガイドワイヤー」について使用する商標として，需要者である医療関係者や医療用機械器具を取り扱う取引者の間に広く認識されていたものというべきであり，その状態は本件商標の登録査定時においても継続していたものと認められる。
（２）本件商標と請求人商標との類否
　本件商標は，「Ａｔｈｌｅｔｅ　Ｂｒａｉｎｓ」及び「アスリートブレーンズ」の文字を上下二段に横書きしてなるところ，その構成中の「Ａｔｈｌｅｔｅ」及び「アスリート」の文字部分は，「運動選手。特に，陸上競技の選手。」の意味を有し，また，「Ｂｒａｉｎｓ」の文字部分は，「Ｂｒａｉｎ」の複数形であって，「脳，理解力，知力」等を意味し，下段の片仮名の「ブレーンズ」の文字部分は，該「Ｂｒａｉｎｓ」の読みを表したものとして無理なく理解できるものであって，「Ａｔｈｌｅｔｅ」及び「Ｂｒａｉｎｓ」の語は，ともに一般によく知られている語といえるものである（例えば，「プログレッシブ英和中辞典（第４版）」株式会社小学館，「広辞苑（第六版）」株式会社岩波書店）。
　そして，「Ａｔｈｌｅｔｅ」と「Ｂｒａｉｎｓ」との間に半文字分程のスペースがあることから，本件商標は，それぞれ「Ａｔｈｌｅｔｅ（アスリート）」と「Ｂｒａｉｎｓ（ブレーンズ）」の２語からなるものとして容易に認識し把握されるものといえることからすると，本件商標の各構成部分は，これを分離して観察することが取引上不自然であると思われるほど不可分的に結合しているものということはできない。
　加えて，本件商標の構成中の「Ａｔｈｌｅｔｅ」及び「アスリート」の文字は，前示のとおり，請求人の業務に係る商品「ガイドワイヤー」について使用する商標として，需要者である医療関係者や医療用機械器具を取り扱う取引者の間に広く認識されていることから，出所識別標識として強く支配的な印象を与えるものというべきである。
　そうすると，本件商標は，その構成中の「Ａｔｈｌｅｔｅ」及び「アスリート」の文字部分を自他識別標識たる要部として分離抽出して他人の商標との類否を判断することも許されるものというべきであり，これより単に「アスリート」の称呼及び「運動選手，競技者」の観念をも生じるものといわなければならない。
　他方，請求人の使用商標のうちの「ＡＴＨＬＥＴＥ」又は「アスリート」の文字からなる商標は，その構成文字に相応して「アスリート」の称呼及び「運動選手，競技者」の観念を生じること明らかである。
　してみれば，本件商標と請求人の使用商標「ＡＴＨＬＥＴＥ」又は「アスリート」とは，外観において異なるものの，称呼及び観念を共通にするものであるから，商品の出所について誤認，混同を生じさせるおそれがある類似の商標といわなければならない。
（３）本件商標の指定役務と請求人の使用商標における使用商品の類否
　本件商標の指定役務中の「医療機械器具の小売又は卸売の業務において行われる顧客に対する便益の提供」と，請求人の使用商標が使用された商品である「ガイドワイヤー」とは，小売等の役務と商品という関係にあるものの，その対象となる商品は，「医療機械器具」という点で共通の商品であって，その小売等の役務とその商品の販売は，一般的に同一事業者によって行われることが多いことからすれば，上記の本件指定役務と請求人に係る使用商品とは，役務の提供場所と商品の販売場所とを同一にする場合が多く，さらに，取引者，需要者を共通にするものであるから，両者は，類似するものである。
（４）小括
　したがって，本件商標は，請求人がガイドワイヤーに使用して周知性を獲得した請求人の使用商標と類似し，その指定役務も請求人の使用商標における使用商品と類似するから，商標法第４条第１項第１０号に該当する。
　２　本件商標の商標法第４条第１項第１１号該当性について
（１）本件商標と引用商標について
　本件商標は，「Ａｔｈｌｅｔｅ　Ｂｒａｉｎｓ」及び「アスリートブレーンズ」の文字からなるところ，その構成中の「Ａｔｈｌｅｔｅ」及び「アスリート」の文字部分から「アスリート」の称呼及び「運動選手，競技者」の観念を生じるものである。
　他方，引用商標１は，別掲１のとおり，その冒頭の文字「Λ」が「Ａ」の文字から横棒を除外した形状となっているところ，英語の成語中の「Ａ」の文字を「Λ」とロゴ化することが一般に広く行われていることからすれば，引用商標１も該「Λ」が「Ａ」を表し，全体として「ＡＴＨＬＥＴＥ」の文字を表したものと容易に看取されることから，その構成文字に相応して「アスリート」の称呼を生じ，「運動選手，競技者」の観念を生じるものといえる。
　引用商標２及び３は，それぞれの構成文字に相応して「アスリート」の称呼及び「運動選手，競技者」等の観念を生ずること明らかである。
　引用商標４は，別掲２のとおり，その冒頭部分がかなり図案化されているものの，「Ａ」を装飾したものとして認識し把握されることも少なくなく，全体をもって「ＡＴＨＬＥＴＥ」の文字を表したものとして看取されることから，「アスリート」の称呼及び「運動選手，競技者」の観念を生じるものというのが相当である。
（２）本件商標及び引用商標との類否
　本件商標と引用商標とは，上記（１）のとおり，外観における構成文字及び構成態様において差異を有するとしても，本件商標の要部として看取される「Ａｔｈｌｅｔｅ」及び「アスリート」の文字部分より生じる「アスリート」の称呼を同じくし，いずれも「運動選手，競技者」の観念を生じるものであるから，両者は，称呼及び観念を共通にする類似の商標といわなければならない。
（３）本件商標の指定役務と引用商標の指定商品の類否
　本件商標の指定役務中の「医療機械器具の小売又は卸売の業務において行われる顧客に対する便益の提供」と，引用商標の指定商品である「医療用機械器具」とは，小売等の役務と商品という関係にあるものの，その対象となる商品は，ほぼ共通の商品「医療機械器具（医療用機械器具）」であって，その小売等の役務とその商品の販売は，一般的に同一事業者によって行われることが多いことからすれば，上記の本件指定役務と引用商標の指定商品とは，役務の提供場所と商品の販売場所とを同一にする場合が多く，さらに，取引者，需要者を共通にするものであるから，両者は，類似するものである。
（４）小括
　したがって，本件商標は，引用商標と類似し，その指定役務も引用商標の指定商品と類似のものであるから，商標法第４条第１項第１１号に該当する。
　３　むすび
　以上のとおり，本件商標は，その指定役務中、本件審判請求に係る指定役務である「医療機械器具の小売又は卸売の業務において行われる顧客に対する便益の提供」について、商標法第４条第１項第１０号及び同項第１１号に違反して登録されたものであるから，同法第４６条第１項の規定に基づき，その登録を無効にすべきものである。
　よって，結論のとおり審決する。